(57)【特許請求の範囲】
【請求項１】
時計の背面に掛け置き兼用の取付板を着脱可能に取付けてなる時計の掛け置き兼用取付板装置であって、
前記取付板は、前記時計の背面に当接する当接面部と、この当接面部の下端に連接される傾斜面部とを備え、
前記時計の前記背面には、前記取付板と係合する左右一対のスライド係合部を設け、
前記取付板の前記当接面部には、前記時計の前記スライド係合部に係合する左右一対のスライド係合部を設けて構成され、
前記時計を掛け時計として用いる場合は、前記取付板の前記傾斜面部を正面側に配して、当該取付板を壁面に取付けるとともに、前記時計及び取付板双方の左右一対のスライド係合部をそれぞれ係合し、
また、前記時計を置き時計として用いる場合は、前記取付板の前記傾斜面部を背面側に配して、前記時計及び取付板双方の左右一対のスライド係合部をそれぞれ係合し、これにより前記傾斜面部が時計のスタンドを兼用するように設けたことを特徴とする時計の掛け置き兼用取付板装置。
【請求項２】
前記請求項１において、前記時計の背面に時計操作部が配置され、この時計操作部は、前記取付板の前記当接面部によって隠蔽されることを特徴とする時計の掛け置き兼用取付板装置。
【請求項３】
前記請求項１において、前記取付板の前記傾斜面部の中央部に電源用コードを挿通するための切欠部を形成し、この切欠部の対向縁の一方又は他方と、前記取付板の前記当接面部とを連結する補強板部を、左右一対設けたことを特徴とする時計の掛け置き兼用取付板装置。
【発明の詳細な説明】
【技術分野】
【０００１】
本発明は、時計の取付板装置であって、掛け時計と置き時計に択一的に設置される時計の掛け置き兼用取付板装置に関する。
【背景技術】
【０００２】
時計が掛け使用と置き使用の双方に用いられることを企図して作成されているものが知られている（特許文献１、２、３）。
【０００３】
これらのように、１つの時計で掛け使用と置き使用の双方に用いられるものは、時計のケースなどに、掛け使用のための吊り掛け用孔や掛け金具を設け、また、置き使用のための置き台やスタンドを設けているのが通常である。
【先行技術文献】
【特許文献】
【０００４】
【特許文献１】実公昭６３−５０３０号公報
【特許文献２】実公平１−３１９８３号公報
【特許文献３】実開平５−２７６９８号公報
【発明の概要】
【発明が解決しようとする課題】
【０００５】
このように、通常の掛け置き兼用の時計においては、掛け使用のための掛け金具などの部材と、置き使用のためのスタンドなどの部材をそれぞれ別個に用意して、これらを時計に別々に設けているので、部品点数が少なくとも２つ必要になるとともに、これらの部品をそれぞれ設けなければならないため、その作業もそれぞれ要することになる。
【０００６】
一般に時計は、その操作部が背面に露出されているものが多く、この種の掛け置き兼用の時計においても、とりわけ置き使用された場合に、不用意に操作部のスイッチなどに手が触れて誤作動されるおそれもある。また、掛け使用される場合においても、時計を掛ける際にスイッチを押してしまう可能性もある。
【０００７】
本発明は、上記事情に鑑みてなされたもので、掛け置き兼用の時計において、１つの取付板により掛け時計と置き時計に択一的に設置することができる時計の掛け置き兼用取付板装置を提案するものである。
【０００８】
また、本発明は、掛け置き兼用の時計において、取付板の装着により操作部の誤操作を回避することのできる時計の掛け置き兼用取付板装置を提案するものである。
【課題を解決するための手段】
【０００９】
本願第１請求項に記載した発明は、実施例で用いた符号を付して記すと、時計１の背面に掛け置き兼用の取付板２０を着脱可能に取付けてなる時計の掛け置き兼用取付板装置であって、
取付板２０は、時計１の背面に当接する当接面部２１と、この当接面部２１の下端に連接される傾斜面部２２とを備え、
時計１の背面には、取付板２０と係合する左右一対のスライド係合部４を設け、
取付板２０の当接面部２１には、時計１のスライド係合部４に係合する左右一対のスライド係合部２３を設けて構成され、
時計１を掛け時計として用いる場合は、取付板２０の傾斜面部２２を正面側に配して、当該取付板２０を壁面に取付けるとともに、前記時計１及び取付板２０双方の左右一対のスライド係合部４，２３をそれぞれ係合し、
また、時計１を置き時計として用いる場合は、取付板２０の傾斜面部２２を背面側に配して、前記時計１及び取付板２０双方の左右一対のスライド係合部４，２３をそれぞれ係合し、これにより傾斜面部２２が時計のスタンドを兼用するように設けたことを特徴とする時計の掛け置き兼用取付板装置である。
【００１０】
本願第２請求項に記載した発明は、請求項１において、時計１の背面に時計操作部２が配置され、この時計操作部２は、取付板２０の当接面部２１によって隠蔽されることを特徴とする時計の掛け置き兼用取付板装置である。
【００１１】
本願第３請求項に記載した発明は、請求項１において、取付板２０の傾斜面部２２の中央部に電源用コード３を挿通するための切欠部２４を形成し、この切欠部２４の対向縁の一方又は他方と、取付板２０の当接面部２１とを連結する補強板部２５を、左右一対設けたことを特徴とする時計の掛け置き兼用取付板装置である。
【発明の効果】
【００１２】
本願第１請求項に記載した発明によれば、時計１の背面に着脱可能に取付けられる取付板２０が、当接面部２１と傾斜面部２２とを備え、一方、時計１の背面には、取付板２０と係合する左右一対のスライド係合部４が設けられ、そして、取付板２０の当接面部２１には、時計１のスライド係合部４に係合する左右一対のスライド係合部２３を設けて構成されるので、取付板２０の正面側と裏面側をひっくり返してどちら側でも使用することができ、その結果、時計１を掛け時計として、また、置き時計として、用いることができる。置き時計として用いる場合は、傾斜面部２２が時計のスタンドの役割を担うことができる。
【００１３】
本願第２請求項に記載した発明によれば、時計１の背面に時計操作部２が配置されるとともに、この時計操作部２は、取付板２０の当接面部２１によって隠蔽されるので、時計操作部２の誤操作がなされる事態を回避することができる。
【００１４】
本願第３請求項に記載した発明によれば、取付板２０の傾斜面部２２の中央部に電源用コード３を挿通するための切欠部２４を形成し、この切欠部２４の対向縁の一方又は他方と、取付板２０の当接面部２１とを連結する補強板部２５を、左右一対設けているので、この補強板部２５は文字どおり傾斜面部２２の補強の役割を担うことになり、置き時計として使用した場合に傾斜面部２２の変形や損壊などを阻止することができる。
【００１５】
このように、本発明によれば、取付板に、掛け使用のための取付部材と、置き使用のためのスタンド部材が設けられているので、掛け使用と置き使用の兼用可能な時計の掛け置き兼用取付板装置を得ることができる。
【図面の簡単な説明】
【００１６】
【図１】本発明の実施例に係り、時計を掛け使用した状態を示す後方からの斜視図である。
【図２】本発明の実施例に係り、時計を置き使用した状態を示す後方からの斜視図である。
【図３】本発明の実施例に係り、時計の背面に設けられた操作部を示す図である。
【図４】本発明の実施例に係り、時計を置き使用した状態を示す背面から見た図である。
【図５】本発明の実施例に係り、時計の掛け使用の場合における取付板の斜視図である。
【図６】本発明の実施例に係り、時計を掛け使用した状態を示す縦断側面図である。
【発明を実施するための形態】
【００１７】
以下に、本発明の実施例を図面に基づいて説明する。
【００１８】
図１は時計を掛け使用した状態を示す後方からの斜視図、図２は時計を置き使用した状態を示す後方からの斜視図であり、本例の時計１は、掛け使用と置き使用の双方の場合に、背面に取付板２０を設けて構成されている。尚、後に詳述するが、取付板２０は、掛け使用と置き使用とでは、正面側と裏面側を逆にして、つまりひっくり返して使用する。
【００１９】
本例の時計１は、図３に示すように、背面に時計操作部２を設けており、この時計操作部２は、時計の掛け使用（図１）、置き使用（図２）のいずれの場合も、取付板２０の装着によって隠蔽される。
【００２０】
以下、詳述すると、取付板２０は、時計１の背面に着脱可能に取付けられる掛け置き兼用の取付板であり、時計１の背面に当接する当接面部２１と、この当接面部２１の下端に連接される傾斜面部２２とを備える。
【００２１】
取付板２０は、その当接面部２１に、時計１の後記スライド係合部４に係合する左右一対のスライド係合部２３を設けている。
【００２２】
一方、時計１の背面には、取付板２０のスライド係合部２３と係合するスライド係合部４を左右一対設けている。
【００２３】
また、時計１の背面の左右下部には、時計を置き使用する際に機能する脚部５を設けている。
【００２４】
また、図４及び図５に示すように、取付板２０の傾斜面部２２の中央部に電源用コード３を挿通するための切欠部２４を形成し、この切欠部２４の対向縁の一方又は他方と、取付板２０の当接面部２１とを連結する補強板部２５を、左右一対設けている。
【００２５】
尚、取付板２０の当接面部２１には、その上部の左右に複数の木ネジ取付用のボス２６と、釘差し込み用の穴２７を設けている。
【００２６】
以上のように構成される本例の時計の掛け置き兼用取付板装置において、説明の便宜上、時計１が置き使用される場合から説明すると、時計１と取付板２０との相対的な対向位置関係は、図２及び図４に示すように、当接面部２１の時計１への装着時に、傾斜面部２２が背面側に位置するように、つまり傾斜面部２２が時計１から後方へ突出するように、設けられる。
【００２７】
時計１と取付板２０との装着は、時計１の左右一対のスライド係合部４に、取付板２０の左右一対のスライド係合部２３を係合させて行う。
【００２８】
時計１と取付板２０の装着は、例えば図４に示すように、取付板２０の左右一対のスライド係合部２３に、時計１のスライド係合部４を係合させて行う。この例では、取付板２０の左右に配置された各上下のスライド係合部２３の間に、時計１の左右一対のスライド係合部４の各下側のスライド係合部４を配置し、時計１と取付板２０を上下方向に相対移動させて、時計１のスライド係合部４よりも取付板２０のスライド係合部２３が正面側に位置するようにさせて両者を係合させる。
【００２９】
このとき、時計１の背面側に位置する取付板２０の傾斜面部２２は、時計スタンドの機能を発揮する。
【００３０】
このようにして取付板２０の傾斜面部２２が時計スタンドの機能を担うことになって、傾斜面部２２に曲げモーメントが加わるが、この傾斜面部２２は補強板部２５により保持されて補強される。
【００３１】
次に、時計１が掛け使用される場合を説明する。時計１と取付板２０との相対的な対向位置関係は、図１及び図６に示すように、取付板２０の当接面部２１の装着時に、傾斜面部２２が正面側に位置するようになされる。
【００３２】
この場合の時計１と取付板２０との時系列的な装着は、まず、取付板２０を壁面や柱などに固着し、その取付板２０に時計１を装着する。
【００３３】
取付板２０の壁面などへの固着は、取付板２０の当接面部２１の上部左右に上下一対設けた木ネジ取付用のボス２６に、図示を省略した木ネジを用いて取付板２０を壁面などへ固着し、或いは、図５に示すように、当接面部２１の上部左右に設けた釘差し込み用の穴２７の箇所に、金具６をあてがって、図示を省略した釘を用いて取付板２０を壁面などへ固着する。
【００３４】
そして、取付板２０への時計１の装着は、前述したように、取付板２０の左右一対のスライド係合部２３に、時計１のスライド係合部４を係合させて行う。この例でも前例同様に、取付板２０の左右に配置された各上下のスライド係合部２３の間に、時計１の左右一対のスライド係合部４の各下側のスライド係合部４を配置し、時計１と取付板２０を上下方向に相対移動させて、時計１のスライド係合部４よりも取付板２０のスライド係合部２３が正面側に位置するようにさせて両者を係合させる。
【００３５】
このようにして時計１は取付板２０を介して壁面などに取付けられる。この場合、取付板２０の傾斜面部２２の中央部に切欠部２４が形成されているので、ここに電源用コード３を挿通することができる。
【００３６】
以上説明した本例の時計の掛け置き兼用取付板装置によれば、時計１の背面に着脱可能に取付けられる取付板２０が、当接面部２１と傾斜面部２２とを備え、一方、時計１の背面には、取付板２０と係合する左右一対のスライド係合部４が設けられ、そして、取付板２０の当接面部２１には、時計１のスライド係合部４に係合する左右一対のスライド係合部２３を設けて構成されるので、取付板２０の正面側と裏面側をひっくり返してどちら側でも使用することができ、その結果、時計１を掛け時計として、また、置き時計として、用いることができる。
【００３７】
更に、置き時計として用いる場合は、傾斜面部２２が時計のスタンドの役割を担うことができる。
【００３８】
また、本例の時計の掛け置き兼用取付板装置によれば、時計１の背面に時計操作部２が配置されるとともに、この時計操作部２は、取付板２０の当接面部２１によって隠蔽されるので、時計操作部２の誤操作がなされる事態を回避することができる。
【００３９】
また、本例の時計の掛け置き兼用取付板装置によれば、取付板２０の傾斜面部２２の中央部に電源用コード３を挿通するための切欠部２４を形成し、この切欠部２４の対向縁の一方又は他方と、取付板２０の当接面部２１とを連結する補強板部２５を、左右一対設けているので、この補強板部２５は傾斜面部２２の補強の役割を担うことになり、置き時計として使用した場合に傾斜面部２２の変形や損壊などを阻止することができる。
【００４０】
このように、本例の時計の掛け置き兼用取付板装置によれば、取付板に、掛け使用のための取付け部材と、置き使用のためのスタンド部材が設けられているので、掛け使用と置き使用の兼用可能な掛け時計を得ることができる。
【産業上の利用可能性】
【００４１】
本発明に係る時計の掛け置き兼用取付板装置は、掛け使用と置き使用の兼用可能な掛け時計において好適に利用することができるものである。
【符号の説明】
【００４２】
１    時計
２    時計操作部
３    電源用コード
４    スライド係合部
５    脚部
６    金具
２０    取付板
２１    当接面部
２２    傾斜面部
２３    スライド係合部
２４    切欠部
２５    補強板部
２６    木ネジ取付用のボス
２７    釘差し込み用の穴
【図１】
0006270776.tif 000002
【図２】
0006270776.tif 000003
【図３】
0006270776.tif 000004
【図４】
0006270776.tif 000005
【図５】
0006270776.tif 000006
【図６】
0006270776.tif 000007